(57)【要約】【課題】ワイヤレスオーディオシステム全体の電池残量を容易に確認することができるワイヤレスオーディオシステム、通信装置、及びプログラムを提供する。【解決手段】受信ユニット３０は、自己の電池残量を測定し、当該測定値を送信ユニット２０へ送信し、送信ユニット２０は、自己の電池残量を測定し、当該測定値及び受信した測定値に基づいて電池残量情報を電池残量インジケータ２４に表示する【選択図】図１
2009038436.tif 000002
【特許請求の範囲】
【請求項１】
電池電源で動作する通信装置を備えた一のオーディオ装置と他のオーディオ装置との間でオーディオ信号を無線送信するワイヤレスオーディオシステムにおいて、
前記一のオーディオ装置の通信装置は、
表示部と、
前記電池電源の電池残量を測定し、当該測定値及び前記他のオーディオ装置の通信装置から受信した電池残量測定値に基づいて電池残量情報を前記表示部に表示させる制御部を備え、
前記他のオーディオ装置の通信装置は、
当該通信装置の電池残量を測定し、当該測定値を前記一のオーディオ装置の通信装置へ送信する制御部を備えること
を特徴とするワイヤレスオーディオシステム。
【請求項２】
前記一又は他のオーディオ装置の一方はオーディオソース装置であり、他方は音声出力装置であり、
前記オーディオソース装置の通信装置に備える制御部は、オーディオ信号を前記音声出力装置の通信装置へ連続的に送信させており、自己の電池残量の測定値又は前記音声出力装置の通信装置から受信した電池残量の測定値が所定の値に達した場合、前記音声出力装置の通信装置へ送信しているオーディオ信号を断続的に送信させること
を特徴とする請求項１に記載のワイヤレスオーディオシステム。
【請求項３】
前記オーディオソース装置の通信装置に備える制御部により前記音声出力装置の通信装置へ断続的に送信させるオーディオ信号は、どの前記通信装置の電池残量の測定値が前記所定の値に達したかによって異なるリズムで途切れさせること
を特徴とする請求項２に記載のワイヤレスオーディオシステム。
【請求項４】
オーディオ装置に接続可能であり、電池電源で動作する通信装置において、
前記電池電源の電池残量を測定し、当該測定値を他の通信装置へ送信させる制御部を備えること
を特徴とする通信装置。
【請求項５】
オーディオ装置に接続可能であり、電池電源で動作する通信装置において、
表示部と、
前記電池電源の電池残量を測定し、当該測定値及び他の通信装置から受信した電池残量測定値に基づいて電池残量情報を前記表示部に表示させる制御部を備えること
を特徴とする通信装置。
【請求項６】
オーディオ装置に接続可能であり、電池電源で動作する通信装置のコンピュータを
前記電池電源の電池残量を測定し、当該測定値を他の通信装置へ送信させる制御手段
として機能させるプログラム。
【発明の詳細な説明】
【技術分野】
【０００１】
本発明は、電池残量の通知を行うワイヤレスオーディオシステム、通信装置、及びプログラムに関する。
【背景技術】
【０００２】
オーディオソース装置、スピーカ等の複数のオーディオ装置を備え、各オーディオ装置間で無線通信を行うワイヤレスオーディオシステムが普及している。このようなワイヤレスオーディオシステムにおいて、各オーディオ装置の通信部の電源として電池を使用し、当該電池の電池残量を示す電池残量インジケータを各オーディオ装置や当該オーディオ装置の通信部に備えるものが知られている。
【０００３】
電池を使用したワイヤレスオーディオシステムの例として、特許文献１には、電池で駆動する移動型音声出力装置についての技術が開示されている。
【特許文献１】特開２００５−７９６１４号公報
【発明の開示】
【発明が解決しようとする課題】
【０００４】
しかしながら、上記従来技術では、ワイヤレスオーディオシステム全体の電池残量を確認するには、各オーディオ装置の通信部等にそれぞれ設けられた電池残量インジケータを確認する必要があるため、手間がかかり、適切な充電タイミングを把握することが困難であった。
【０００５】
本発明の課題は、ワイヤレスオーディオシステム全体の電池残量を容易に確認することができるワイヤレスオーディオシステム、通信装置、及びプログラムを提供することである。
【課題を解決するための手段】
【０００６】
請求項１に記載の発明は、電池電源で動作する通信装置を備えた一のオーディオ装置と他のオーディオ装置との間でオーディオ信号を無線送信するワイヤレスオーディオシステムにおいて、
前記一のオーディオ装置の通信装置は、
表示部と、
前記電池電源の電池残量を測定し、当該測定値及び前記他のオーディオ装置の通信装置から受信した電池残量測定値に基づいて電池残量情報を前記表示部に表示させる制御部を備え、
前記他のオーディオ装置の通信装置は、
当該通信装置の電池残量を測定し、当該測定値を前記一のオーディオ装置の通信装置へ送信する制御部を備えること
を特徴とする。
【０００７】
請求項２に記載の発明は、請求項１に記載のワイヤレスオーディオシステムにおいて、
前記一又は他のオーディオ装置の一方はオーディオソース装置であり、他方は音声出力装置であり、
前記オーディオソース装置の通信装置に備える制御部は、オーディオ信号を前記音声出力装置の通信装置へ連続的に送信させており、自己の電池残量の測定値又は前記音声出力装置の通信装置から受信した電池残量の測定値が所定の値に達した場合、前記音声出力装置の通信装置へ送信しているオーディオ信号を断続的に送信させること
を特徴とする。
【０００８】
請求項３に記載の発明は、請求項２に記載のワイヤレスオーディオシステムにおいて、
前記オーディオソース装置の通信装置に備える制御部により前記音声出力装置の通信装置へ断続的に送信させるオーディオ信号は、どの前記通信装置の電池残量の測定値が前記所定の値に達したかによって異なるリズムで途切れさせること
を特徴とする。
【０００９】
請求項４に記載の発明は、通信装置において、
オーディオ装置に接続可能であり、電池電源で動作する通信装置において、
前記電池電源の電池残量を測定し、当該測定値を他の通信装置へ送信させる制御部を備えること
を特徴とする。
【００１０】
請求項５に記載の発明は、通信装置において、
オーディオ装置に接続可能であり、電池電源で動作する通信装置において、
表示部と、
前記電池電源の電池残量を測定し、当該測定値及び他の通信装置から受信した電池残量測定値に基づいて電池残量情報を前記表示部に表示させる制御部を備えること
を特徴とする。
【００１１】
請求項６に記載の発明は、プログラムにおいて、
オーディオ装置に接続可能であり、電池電源で動作する通信装置のコンピュータを
前記電池電源の電池残量を測定し、当該測定値を他の通信装置へ送信させる制御手段
として機能させることを特徴とする。
【発明の効果】
【００１２】
本発明によれば、ワイヤレスオーディオシステム全体の電池残量を容易に確認することができるワイヤレスオーディオシステム、通信装置、及びプログラムを提供することができる。
【発明を実施するための最良の形態】
【００１３】
以下、図面を参照して、本発明の好適な一実施形態を説明する。ただし、発明の範囲は本実施形態に限定されない。
【００１４】
［構成］
まず、構成について説明する。
図１にワイヤレスオーディオシステムの構成の概要を示す。ワイヤレスオーディオシステム１は、オーディオ装置としてオーディオソース装置１０及びステレオシステム４０等を備え、当該オーディオ装置間で無線通信により各種信号の送受信を行い、オーディオ再生等を行う。
【００１５】
オーディオソース装置１０としては、オームオーディオ、カーオーディオ、ポータブルオーディオ等が用いられる。オーディオソース装置１０は、外部又は内部に接続された送信ユニット２０を備える。
【００１６】
送信ユニット２０は、オーディオソース装置１０に接続された通信装置であり、オーディオソース装置１０から入力されたオーディオ信号等を搬送波に乗せて送信する。送信ユニット２０は、電源として電池を使用しており、当該電池の電池残量の測定値及び受信ユニット３０から受信した電池残量の測定値に基づいて電池残量情報を表示する表示部として電池残量インジケータ２４を備える。
【００１７】
受信ユニット３０は、ステレオシステム４０に接続された通信装置であり、送信ユニット２０から送信され、オーディオ信号等が乗せられた搬送波を受信し、当該オーディオ信号をステレオシステム４０に出力する。受信ユニット３０は、電源として電池を使用しており、当該電池の電池残量の測定値を搬送波に乗せて送信ユニット２０へ送信する。
【００１８】
ステレオシステム４０は、受信ユニット３０から入力されたオーディオ信号を音波として出力する音声出力装置である。ステレオシステム４０は、アンプやスピーカ等を備え、外部又は内部に接続された受信ユニット３０を備えて構成される。
【００１９】
次に、図２に、送信ユニット２０の構成の一例を示す。送信ユニット２０は、ワイヤレスオーディオプロセッサ２１、電池２２、電源制御部２３、電池残量インジケータ２４を備えて構成される。
【００２０】
ワイヤレスオーディオプロセッサ２１は、送信ユニット２０の電源である電池２２の電池残量を測定する処理、オーディオ信号をオーディオソース装置１０から入力し送信する処理等を行う。ワイヤレスオーディオプロセッサ２１は、電池残量インジケータ２４に電池２２の電池残量の測定値及びワイヤレスオーディオプロセッサ２１が他の通信装置から受信した電池残量の測定値に基づいて電池残量情報を表示する処理を行う。
【００２１】
ワイヤレスオーディオプロセッサ２１は、オーディオインタフェース２１１、オーディオプロセッサ２１２、モデム２１３、ＲＦ（Radio Frequency）トランシーバ２１４、ＣＰＵ（Central Processing Unit）２１６、プログラムメモリ２１７、クロックシンセサイザ２１８、ＰＬＬ（Phase Locked Loop）２１９、Ｘ`ｔａｌ（水晶振動子）２２０を備えて構成される。
【００２２】
オーディオインタフェース２１１は、外部のオーディオ装置との間でオーディオ信号等の入出力を行うためのインタフェースである。
【００２３】
オーディオプロセッサ２１２は、ＤＳＰ（Digital Signal Processor）等のプロセッサである。オーディオプロセッサ２１２は、オーディオインタフェース２１１から入力されたオーディオ信号に対して各種ディジタル信号処理を行い特定の信号形式に変調する処理、又はモデム２１３から入力されたオーディオ信号を復調する処理を行う。
【００２４】
モデム２１３は、オーディオプロセッサ２１２から入力された信号を搬送波に乗せるための信号形式に変調し、ＲＦトランシーバ２１４に出力する処理を行う。また、ＲＦトランシーバ２１４から入力された信号を復調し、オーディオプロセッサ２１２に出力する処理を行う。
【００２５】
ＲＦトランシーバ２１４は、モデム２１３から入力された信号を搬送波に乗せ、当該搬送波を送信するためにアンテナ２１５へ出力する処理を行う。また、アンテナ２１５が受信した搬送波から信号を復元等し、当該信号をモデム２１３へ出力する処理を行う。
【００２６】
ＣＰＵ２１６は、プログラムメモリ２１７等に記憶された制御プログラム及び電池２２の電圧値ｖとして入力された値に基づいて、電池２２の電池残量の測定、電源制御部２３により送信ユニット２０に必要な電力の調整や電源供給の停止等の制御を行う。また、その他、ワイヤレスオーディオプロセッサ２１の各部の集中制御を行う。
【００２７】
プログラムメモリ２１７は、ワイヤレスオーディオプロセッサ２１や電源制御部２３等の各部を制御等するための制御プログラム等を記憶するメモリである。
【００２８】
クロックシンセサイザ２１８は、外部入力されたクロック信号を処理する機器である。ＰＬＬ２１９は、外部から入力されたクロックとは別に、ワイヤレスオーディオプロセッサ２１の各部で必要となるクロックを外部クロックを基準に生成する回路である。Ｘ`ｔａｌ２２０は、外部に接続されたクロックの発振器である。
【００２９】
電源制御部２３は、電池２２から入力された電源の送信ユニット２０を構成する各部への供給を制御する。
【００３０】
受信ユニット３０の構成は、送信ユニット２０の構成と同様である。ただし、ワイヤレスオーディオプロセッサ２１が行う処理は、送信ユニット２０と異なる。受信ユニット３０のワイヤレスオーディオプロセッサ２１は、オーディオ信号を受信し出力する処理、電池２２の電池残量を測定する処理、当該測定値を送信ユニット２０へ送信する処理等を行う。
【００３１】
［動作］
次に、動作について説明する。
図３に、送信ユニット２０が電池残量インジケータ２４を備え、送信ユニット２０及び受信ユニット３０の電池残量に基づいて電池残量情報の測定値を電池残量インジケータ２４に表示する場合に、送信ユニット２０及び受信ユニット３０の間で相互に行われる処理を時系列に示す。当該処理の制御は、送信ユニット２０及び受信ユニット３０のそれぞれに備えるＣＰＵ２１６が行う。
【００３２】
まず、送信ユニット２０及び受信ユニット３０は、それぞれ自己に備える電池２２の電池残量を測定する（ステップＳ１、ステップＳ４）。次いで、受信ユニット３０は、当該測定値を送信ユニット２０へ送信する（ステップＳ２）。次いで、送信ユニット２０は、受信ユニット３０から送信された電池残量測定値を受信し、当該受信をしたことを送信ユニット２０へ通知し（ステップＳ３）、当該受信した電池残量測定値及びステップＳ４にて測定した電池残量測定値に基づいて電池残量情報を電池残量インジケータ２４に更新表示する（ステップＳ５）。
【００３３】
図１〜３に示す態様の変形例として、受信ユニット３０が電池残量インジケータ２４を備え、送信ユニット２０が受信ユニット３０へ電池残量の測定値を送信することとしても良い。
【００３４】
図４に、当該変形例として、受信ユニット３０が電池残量インジケータ２４を備え、送信ユニット２０及び受信ユニット３０の電池残量の測定値に基づいて電池残量情報を電池残量インジケータ２４に表示する場合に、送信ユニット２０及び受信ユニット３０の間で相互に行われる処理を時系列に示す。当該処理の制御は、送信ユニット２０及び受信ユニット３０のそれぞれに備えるＣＰＵ２１６が行う。
【００３５】
まず、送信ユニット２０及び受信ユニット３０は、それぞれ自己に備える電池２２の電池残量を測定する（ステップＳ１１、ステップＳ１４）。次いで、送信ユニット２０は、当該測定値を受信ユニット３０へ送信する（ステップＳ１２）。次いで、受信ユニット３０は、送信ユニット２０から送信された電池残量測定値を受信し、当該受信をしたことを受信ユニット３０へ通知し（ステップＳ１３）、当該受信した電池残量測定値及びステップＳ１４にて測定した電池残量測定値に基づいて電池残量情報を電池残量インジケータ２４に更新表示する（ステップＳ１５）。
【００３６】
以上のように、送信ユニット２０又は受信ユニット３０に備える電池残量インジケータ２４に送信ユニット２０及び受信ユニット３０の電池残量の測定値に基づいて電池残量情報を表示することで、各通信装置等に備えられた電池残量インジケータ等をそれぞれ確認しなくても、ワイヤレスオーディオシステム１全体の電池残量を容易に確認することができる。
【００３７】
［他の実施例］
次に、他の実施例の説明をする。
図５に、ワイヤレスオーディオシステムが複数の受信ユニットを備え、オーディオ装置である音声出力装置及び通信装置である受信ユニットが電源として電池を共有している場合の例を示す。
【００３８】
ワイヤレスオーディオシステム２は、オーディオソース装置１０、送信ユニット２０、Ｒｃｈ（右チャンネル）音声出力装置８０、及びＬｃｈ（左チャンネル）音声出力装置９０を備えて構成される２ｃｈオーディオシステムである。
【００３９】
オーディオソース装置１０及び送信ユニット２０は、図１と同様の構成である。
Ｒｃｈ音声出力装置８０は、受信ユニット８１、アンプ８２、スピーカ８３、アンテナ８４、及び電池８５等を備える音声出力装置である。また、受信ユニット８１は、ワイヤレスオーディオプロセッサ８１１等を備えて構成される。電池８５は、Ｒｃｈ音声出力装置８０全体の電源である。
【００４０】
Ｌｃｈ音声出力装置９０は、受信ユニット９１、アンプ９２、スピーカ９３、アンテナ９４、及び電池９５等を備える音声出力装置である。また、受信ユニット９１は、ワイヤレスオーディオプロセッサ９１１等を備えて構成される。電池９５は、Ｌｃｈ音声出力装置９０全体の電源である。
【００４１】
このようなワイヤレスオーディオシステム２において、Ｒｃｈ音声出力装置８０の電池８５の電池残量がワイヤレスオーディオプロセッサ８１１により測定されアンテナ８４等を介して当該測定値が送信ユニット２０へ送信され、また、Ｌｃｈ音声出力装置９０の電池９５の電池残量がワイヤレスオーディオプロセッサ９１１により測定されアンテナ９４等を介して当該測定値が送信ユニット２０へ送信される。なお、Ｒｃｈ音声出力装置８０及びＬｃｈ音声出力装置９０は、自己を一意に特定できるようにするために、電池残量の測定値の送信と共にＩＤ情報を送信、又は測定値を送信する電波の周波数を他の通信装置とは異なるものにする。
【００４２】
そして、送信ユニット２０は、Ｒｃｈ音声出力装置８０及びＬｃｈ音声出力装置９０から送信され、受信した電池残量の測定値及び自己に備える電池の電池残量の測定値に基づいて電池残量情報を電池残量インジケータ２４に表示する。また、当該表示は、Ｒｃｈ音声出力装置８０及びＬｃｈ音声出力装置９０から送信されたＩＤ情報に基づいて、各スピーカ及び送信ユニット２０にそれぞれ対応付けられて電池残量の測定値に基づいて電池残量情報が表示される。
【００４３】
なお、電池残量の測定方法及び当該測定値の送受信方法等は、前述の実施例で説明した方法と同様である。
【００４４】
以上のように、Ｒｃｈ音声出力装置８０の電池８５及びＬｃｈ音声出力装置９０の電池９５の電池残量の測定値が送信ユニット２０に送信され、送信ユニット２０は受信した当該電池残量の測定値及び送信ユニット２０に備える電池の電池残量の測定値に基づいて電池残量情報を電池残量インジケータ２４に表示することで、ワイヤレスオーディオシステム２のユーザは、電池残量インジケータ２４を確認するだけでワイヤレスオーディオシステム２全体の電池残量を容易に確認することができる。
【００４５】
また、図１又は図５に示すような構成のワイヤレスオーディオシステムの変形例として、送信ユニットが受信した受信ユニットの電池又は送信ユニットの電池残量の測定値が所定の量に達し、電池残量が残りわずかであると送信ユニットが判断した場合に、送信ユニットは、これまで連続的に受信ユニットに送信していたオーディオ信号を断続的に送信することで、ステレオシステム等のスピーカから出力される音声が断続的になるようにしても良い。
【００４６】
また、この変形例の更なる変形例として、例えば、送信ユニットは、前述のＲｃｈ音声出力装置８０及びＬｃｈ音声出力装置９０から送信されたＩＤ情報に基づいて、どの通信部（送信ユニット２０、受信ユニット８１、又は受信ユニット９１等）の電池残量が残りわずかになったかを判断し、当該判断の結果によってオーディオ信号の送信が途切れるリズムを変更し、スピーカからの出力音声が途切れるリズムを変更することとしても良い。
【００４７】
なお、これら変形例における送信ユニットによる電池残量の判断及びオーディオ信号を断続的に送信する処理の制御は、例えば、送信ユニット２０に備えるプログラムメモリ２１７に記憶されたプログラムに基づいてＣＰＵ２１６による制御によって行われる。
【００４８】
このような変形例によれば、ワイヤレスオーディオシステムのユーザは、断続的になった出力音声を聴くことで、電池残量が残りわずかになったことを容易に把握できる。また、どの通信装置の電池残量が残りわずかになったかによって出力音声が途切れるリズムを変更することで、どのスピーカ又は通信部の電池の電池残量が残りわずかであるかを容易に把握することができる。
【００４９】
また、ワイヤレスオーディオシステム２は、２ｃｈに限定されず、変形例として、更に複数の音声出力装置を備えることとしても良い。例えば、５．１ｃｈのオーディオシステムにおいて、オーディオソース装置に備える通信装置及び複数の音声出力装置に備える通信装置間において電池残量測定値の電池残量の送受信が行われることとしても良い。
【００５０】
［効果］
以上のように、受信ユニット３０は、自己の電池残量を測定し、当該測定値を送信ユニット２０へ送信し、送信ユニット２０は、自己の電池残量を測定し、当該測定値及び受信した測定値に基づいて電池残量情報を電池残量インジケータ２４に表示することで、各通信装置等に備えられた電池残量インジケータ等をそれぞれ確認しなくても、ワイヤレスオーディオシステム１全体の電池残量を容易に確認することができる。
【００５１】
また、図５に示すワイヤレスオーディオシステムのように、Ｒｃｈ音声出力装置８０の電池８５及びＬｃｈ音声出力装置９０の電池９５の電池残量の測定値が送信ユニット２０に送信され、送信ユニット２０は受信した当該電池残量の測定値及び送信ユニット２０に備える電池の電池残量の測定値に基づいて電池残量情報を電池残量インジケータ２４に表示することで、ワイヤレスオーディオシステム２のユーザは、電池残量インジケータ２４を確認するだけでワイヤレスオーディオシステム２全体の電池残量を容易に確認することができる。
【００５２】
また、ワイヤレスオーディオシステムのユーザは、断続的になった出力音声を聴くことで、電池残量が残りわずかになったことを容易に把握できる。また、どの通信装置の電池残量が残りわずかになったかによって出力音声が途切れるリズムを変更することで、どのスピーカ又は通信部の電池の電池残量が残りわずかであるかを容易に把握することができる。
【図面の簡単な説明】
【００５３】
【図１】ワイヤレスオーディオシステムの構成概要を示す図である。
【図２】通信装置の構成を示すブロック図である。
【図３】送信ユニットと受信ユニット間の相互作用を時系列に示す図である。
【図４】送信ユニットと受信ユニット間の相互作用を時系列に示す図である。
【図５】ワイヤレスオーディオシステムの構成概要を示す図である。
【符号の説明】
【００５４】
１、２  ワイヤレスオーディオシステム
１０  オーディオソース装置
２０  送信ユニット
２１、８１１、９１１  ワイヤレスオーディオプロセッサ
２２、８５、９５  電池
２３  電源制御部
２４  電池残量インジケータ
３０、８１、９１  受信ユニット
４０  ステレオシステム
８０  Ｒｃｈ音声出力装置
８２、９２  アンプ
８３、９３  スピーカ
８４、９４、２１５  アンテナ
９０  Ｌｃｈ音声出力装置
２１１  オーディオインタフェース
２１２  オーディオプロセッサ
２１３  モデム
２１４  ＲＦトランシーバ
２１６  ＣＰＵ
２１７  プログラムメモリ
２１８  クロックシンセサイザ
２１９  ＰＬＬ
２２０  Ｘ`ｔａｌ
【図１】
2009038436.tif 000003
【図２】
2009038436.tif 000004
【図３】
2009038436.tif 000005
【図４】
2009038436.tif 000006
【図５】
2009038436.tif 000007